(57)【要約】      （修正有）【課題】催事等において、感動や驚きを与えるための演出を好適に行うことができる蓋体を提供する。【解決手段】蓋体を、容器Ｙの開口部Ｋを閉塞し得る面積に設定された略平板状の閉塞板１１を有した蓋体本体１と、閉塞板の上面側に配設される記載領域２１を有したシート状のメッセージシート２と、このメッセージシートの上面側に配設され外部から所定温度以上の熱を受けた場合に不透明から透明に変色するシート状の感熱シート３とから構成し、容器の開口部を蓋体本体が閉塞したときに、不透明の感熱シートが灯火体Ｒの火に伴う所定温度以上の熱を受けて透明に変色し、メッセージシートが感熱シートを介して視認されるようにした。【選択図】図２
0003189591.tif 000002
【実用新案登録請求の範囲】
【請求項１】
上向きに開放された開口部を有し内部に火を灯すための灯火体が収容された容器に対して装着される蓋体であって、
前記開口部を閉塞し得る面積に設定された略平板状の閉塞板を有した蓋体本体と、前記閉塞板の上面側に配設される記載領域を有したシート状のメッセージシートと、このメッセージシートの上面側に配設され外部から所定温度以上の熱を受け付けた場合に不透明から透明に変色し得るシート状の感熱シートとを備えてなり、
前記容器の開口部を前記蓋体本体が閉塞したときに、前記不透明の感熱シートが前記灯火体の火に伴う前記所定温度以上の熱を受け付けて透明に変色し、前記メッセージシートが前記感熱シートを介して視認され得るように構成されていることを特徴とする蓋体。
【請求項２】
上向きに開放された開口部を有し内部に熱水が収容された容器に対して装着される蓋体であって、
前記開口部を閉塞し得る面積に設定された略平板状の閉塞板を有した蓋体本体と、前記閉塞板の上面側に配設される記載領域を有したシート状のメッセージシートと、このメッセージシートの上面側に配設され外部から所定温度以上の熱を受け付けた場合に不透明から透明に変色し得るシート状の感熱シートとを備えてなり、
前記容器の開口部を前記蓋体本体が閉塞したときに、前記不透明の感熱シートが前記熱水に伴う前記所定温度以上の熱を受け付けて透明に変色し、前記メッセージシートが前記感熱シートを介して視認され得るように構成されていることを特徴とする蓋体。
【請求項３】
前記メッセージシートが、前記閉塞板に接着されるものであり、
前記感熱シートが、少なくとも前記メッセージシートに接着されるものである請求項１又は２記載の蓋体。
【考案の詳細な説明】
【技術分野】
【０００１】
本考案は、催事等において驚きや感動を演出するために使用される蓋体に関する。
【背景技術】
【０００２】
従来から、結婚式の披露宴やパーティーの催事等において、参加者に対して驚きや感動を演出するべく種々の対策が講じられている（例えば特許文献１参照）。とりわけ、近時においては、個々の参加者に対して個別に主催者から謝意等を伝えるようにすることで、それぞれの参加者に特別感のある驚きや感動を与えるように企図した、いわゆる「サプライズ」演出等も流行している。
【０００３】
ところで、従来のこの種の演出に用いた演出手段は、参加者に対して格別に特別な作業を求めるものでは無く、極めてわかり易いもので且つシンプルなものとなっていた。
【０００４】
例えば、演出手段として座席カードを利用するものでは、参加者の氏名が記載された座席カードの裏面に、主催者が個別にメッセージを記入するということが行われている。このものでは、参加者が目の前にある座席カードを手にすれば、容易且つ確実にそのメッセージにたどり着けるというメリットがある。その一方で、この座席カードを使用したものでは参加者に参加意識を与えにくいものとなり、参加者が受ける感動や驚きが格別高いものとはなりにくいというデメリットもある。結果として、座席カードを利用する演出手段によっては、近時において、特別感のある演出には至らないことが多いという問題がある。
【０００５】
換言すれば、従来の演出手段は、参加者に驚きを提供するための構成がシンプルなものとなっていたため、催事等において感動や驚きを与えるための演出に欠けるものとなっていた。
【先行技術文献】
【特許文献】
【０００６】
【特許文献１】実用新案登録第３１０１１２６号公報
【考案の概要】
【考案が解決しようとする課題】
【０００７】
本考案は、このような課題に着目してなされたものであって、主たる目的は、催事等における感動や驚きを与えるための演出を好適に行うことができる蓋体を提供することにある。
【課題を解決するための手段】
【０００８】
すなわち、本考案の蓋体は次の構成をなしている。
【０００９】
請求項１に記載の蓋体は、上向きに開放された開口部を有し内部に火を灯すための灯火体が収容された容器に対して装着される蓋体であって、前記開口部を閉塞し得る面積に設定された略平板状の閉塞板を有した蓋体本体と、前記閉塞板の上面側に配設される記載領域を有したシート状のメッセージシートと、このメッセージシートの上面側に配設され外部から所定温度以上の熱を受け付けた場合に不透明から透明に変色し得るシート状の感熱シートとを備えてなり、前記容器の開口部を前記蓋体本体が閉塞したときに、前記不透明の感熱シートが前記灯火体の火に伴う前記所定温度以上の熱を受け付けて透明に変色し、前記メッセージシートが前記感熱シートを介して視認され得るように構成されているものである。
【００１０】
ここで、容器に収容された「灯火体」には、主として撚糸（よりいと）や紙縒（かみより・こより）等から作られた芯及び蝋またはパラフィンからなる燃料体から構成された蝋燭（ろうそく）や、主として撚糸等から作られた芯及び石油やアルコールからなる燃料体を主体に構成されたランプを挙げることができる。
【００１１】
容器とは、内部に火を灯すための灯火体を収容するとともに上向きに開放された開口部を有しているものであればよく、種々の形状を採用することができるのはもちろんのことである。
【００１２】
このような構成のものであれば、前記容器の開口部を前記蓋体本体が閉塞したときに、前記不透明の感熱シートが前記灯火体の火に伴う前記所定温度以上の熱を受け付けて透明に変色し、前記メッセージシートが前記感熱シートを介して視認され得るものとなる。このため、催事等における感動や驚きを与えるための演出を好適に行うことができる蓋体を提供することができるものとなる。
【００１３】
しかも、参加者が、火がついた状態の容器の開口部に、前記蓋体を装着することにより、例えば、記載領域に主催者が手書きしたメッセージが表示されているメッセージシートや、印刷等の適宜の表示方法により御神籤や占いの結果が表示されているメッセージシートが浮かび上がるという効果を得ることができるものであるため、参加者の所作を介在させることができるものとなっており、参加者に対してより効果的に感動や驚きを与え得るものとなっている。
【００１４】
さらには、参加者に対し、火にかざすことによって突然字が表出するという予想外の現象を目の当たりにさせることができるため、参加者に感動や驚きを与えるものとなる。
【００１５】
また、灯火体の火は容器に蓋体を装着することによって、必然的に酸素不足となりやがて消失することになる。このため、容器に蓋体を装着して火を消すという目的の下で当該蓋体の操作を行わせることにより、参加者にメッセージ等が出現するという意表をついた予想外の現象を与えることができ、参加者に感動や驚きを与えるものとなる。
【００１６】
請求項２に記載の蓋体は、上向きに開放された開口部を有し内部に熱水が収容された容器に対して装着される蓋体であって、前記開口部を閉塞し得る面積に設定された略平板状の閉塞板を有した蓋体本体と、前記閉塞板の上面側に配設される記載領域を有したシート状のメッセージシートと、このメッセージシートの上面側に配設され外部から所定温度以上の熱を受け付けた場合に不透明から透明に変色し得るシート状の感熱シートとを備えてなり、前記容器の開口部を前記蓋体本体が閉塞したときに、前記不透明の感熱シートが前記熱水に伴う前記所定温度以上の熱を受け付けて透明に変色し、前記メッセージシートが前記感熱シートを介して視認され得るように構成されているものである。
【００１７】
請求項２に記載の構成は、容器内に収容されているものが「熱水」である点において請求項１の構成と相違している。ここで、容器に収容された「熱水」には、概ね８０°Ｃ以上の温度を有してなるものであり、具体的には、例えば、ホットコーヒー、紅茶、ハーブティー、緑茶等を挙げることができる。また、容器とは、内部に熱水を収容するとともに上向きに開放された開口部を有しているものであればよく、種々の形状を採用することができるのはもちろんのことである。熱水を収容する容器には、例えば、コーヒーカップ、ティーカップ、湯のみ茶碗等を挙げることができる。
【００１８】
このような構成のものであれば、前記容器の開口部を前記蓋体本体が閉塞したときに、前記不透明の感熱シートが前記熱水に伴う前記所定温度以上の熱を受け付けて透明に変色し、前記メッセージシートが前記感熱シートを介して視認され得るものとなる。このため、催事等における感動や驚きを与えるための演出を好適に行うことができる蓋体を提供することができるものとなる。
【００１９】
請求項３に記載の蓋体は、請求項１又は２に係る構成において、前記メッセージシートが、前記閉塞板に接着されるものであり、前記感熱シートが、少なくとも前記メッセージシートに接着されるものである。
【００２０】
このようなものであれば、前記メッセージシートの記載領域に任意のメッセージを記し、その後、蓋体本体に当該メッセージシートを接着し、しかる後に感熱シートを前記メッセージシートに接着することにより蓋体を完成させることができるものとなるため、製造の容易に寄与し得るものとなる。
【考案の効果】
【００２１】
以上説明したように本考案によれば、「蓋体」に関連させて催事等の演出を行うことができるものとなる。すなわち、催事等における感動や驚きを与えるための演出を好適に行うことができる蓋体を提供することができるものとなる。
【図面の簡単な説明】
【００２２】
【図１】本考案の一実施形態を示す斜視図。
【図２】同実施形態を示す分解斜視図。
【図３】同実施形態を示す斜視図。
【図４】同実施形態を示す斜視図。
【図５】同実施形態におけるメッセージシートを説明するための斜視図。
【図６】他の実施形態を示す斜視図。
【図７】同実施形態を示す斜視図。
【考案を実施するための形態】
【００２３】
以下、本考案の一実施形態を、図１〜５を参照して説明する。
【００２４】
この実施形態は、本考案を、結婚披露宴において使用される蓋体たるキャンドルキャップ（以下、「蓋体Ｃ」と称する）に適用したものである。この蓋体Ｃは、蝋燭である催事用キャンドルＲ（以下、「蝋燭Ｒ」と称する）を収容したガラス製の容器Ｙに装着して使用されるものである。
【００２５】
蓋体Ｃは、上向きに開放された開口部Ｋを有し内部に火を灯すための灯火体たる蝋燭Ｒが収容された容器Ｙに対して装着されるものである。
【００２６】
蓋体Ｃは、容器Ｙの開口部Ｋを閉塞し得る面積に設定された略平板状の閉塞板１１を有した蓋体本体１と、前記閉塞板１１の上面側に配設され筆記具を用いて主催者等によって手書きで記載され得る記載領域２１を有したシート状のメッセージシート２と、このメッセージシート２の上面側に配設され外部から所定温度以上の熱を受け付けた場合に不透明から透明に変色し得るシート状の感熱シート３とを備えてなる。
【００２７】
まず、容器Ｙ及び蝋燭Ｒについて説明する。
【００２８】
この実施形態における容器Ｙは、図１〜４に示すように、矩形状の底壁Ｙ１と、この矩形状の底壁Ｙ１の周縁部から上方に延びてなる矩形状の前後及び左右の側壁Ｙ２とを備えてなるガラス製のものであり、前記側壁Ｙ２の上端部によって蝋燭Ｒが収容された内部空間と外部空間とを連通する上向きに開放された矩形状の開口部Ｋを形成している。
【００２９】
容器Ｙの内部には蝋燭Ｒが収容されている。蝋燭Ｒは、着火されて火Ｆの灯る芯である撚糸Ｒ１と、この撚糸Ｒ１に含浸するとともに撚糸Ｒ１を略中心位置において支持する燃料体である蝋Ｒ２とを備えてなる通常のものである。
【００３０】
次いで、蓋体Ｃについて詳述する。
【００３１】
蓋体本体１は、容器Ｙの開口部Ｋを閉塞し得る面積を有する矩形板状の閉塞板１１とこの閉塞板１１の周縁から下方に向かって延びる矩形板状の前後及び左右の垂下部１２とを備えてなるものである。この実施形態では、蓋体本体１は展開状態から組み立て可能な紙製のものであり、具体的には、防炎一級印刷用紙が使用されている。つまり、蓋体本体１は、蝋燭Ｒの火Ｆが触れた場合でも燃焼する可能性は極めて低い材質によって形成されている。
【００３２】
メッセージシート２は、紙製のものであり閉塞板１１よりも小さな面積に設定された矩形シート状のものである。メッセージシート２の上面には、筆記具を用いて主催者によって手書きで記載され得る記載領域２１を備えている。メッセージシート２は、前記閉塞板１１に接着されるものである。すなわち、メッセージシート２は、裏面側に図示しない接着剤層を備えており、蓋体本体１の閉塞板１１の上面に貼り付けることができるようになっている。なお、記載領域２１は、主として、手書きによりメッセージが表示され得る場所であるが、その他、スタンプや装飾ステッカー等を使用してメッセージや装飾を表示させるようにしてもよいし、手書き以外の文字を表示させてもよいのはもちろんのことである。例えば、記載領域２１に、印刷によって御神籤（おみくじ）や占いの結果を表示させてもよい。
【００３３】
ところで、使用前のメッセージシート２は、図５に示すように、共通の台紙Ｄ上に複数配列されてメッセージシートセットＳを構成している。このメッセージシートセットＳは主催者に提供されるものであり、各メッセージシート２の記載領域２１に、主催者が個々の参加者宛ての個別メッセージを手書きによって記載することができるようになっている。また、メッセージシートＳは、各メッセージシート２の下に隣接して参加者の氏名を表示するための名札シートＮが配されている。当該名札シートＮは、裏面に図示しない接着層が設けられたものであり、例えば、蓋体本体１の垂下部１２の外面に貼り付けられる。これにより、メッセージシート２に記載した内容が感熱シート３に覆われて読み取れない状態にあっても、蓋体Ｃが誰宛のものかを特定できるようにしてある。
【００３４】
感熱シート３は、常温の環境において不透明であるシート状のものである。感熱シート３は、透明フィルム状の基材（図示せず）に、２７°Ｃ以上の熱を受け付けた場合に不透明から透明に変色するインキ層（図示せず）を設けてなるものであり、具体的なインキとして、「久保井インキ株式会社製ＳＴカラーＵＶ−ＳＳ」が使用されている。感熱シート３は、メッセージシート２よりも大きな面積に設定されている。インキ層のカラー種別としては、例えば、ブラック、ピンク、ブルー、マゼンタ、ブラウン等がある。
【００３５】
感熱シート３は、少なくとも、メッセージシート２の上面側に接着されるものである。この実施形態では、感熱シート３は、裏面側に図示しない接着剤層を備えており、メッセージシート２の上面、及び、閉塞板１１におけるメッセージシート２の外縁近傍の上面部分に貼り付けることができるようになっている。すなわち、感熱シート３は、メッセージシート２を覆い隠すようにしてメッセージシート２及び閉塞板１１上に貼り付けられる。ところで、感熱シート３も、前述したメッセージシートセットＳと同様に、台紙（図示せず）上に感熱シート３を複数配列させた感熱シートセット（図示せず）を構成している。
【００３６】
ところで、組み立て前の展開状態にある蓋体本体１、前記メッセージシートセットＳ及び前記感熱シートセットとは、所定数量の蓋体Ｃを形成することができるようにセット化されている。しかして、展開状態の蓋体本体１、メッセージシートセットＳ及び感熱シートセット（図示せず）とによって、蓋体構成セットを構成している。
【００３７】
以上の構成をなす蓋体Ｃは、前記容器Ｙの開口部Ｋを前記蓋体本体１が閉塞したときに、前記不透明の感熱シート３が蝋燭Ｒの火Ｆからの放熱に伴って所定温度である２７°Ｃ以上の熱を受け付けて透明に変色し、前記メッセージシート２が前記感熱シート３を介して使用者等から視認され得るように構成されている。なお、この実施形態の感熱シート３は、透明に変色するための所定温度を一般的な空調設備を有した屋内における常温よりも高い温度である２７°Ｃに設定しているが、このようなものに限られるものではない。すなわち、感熱シートの透明に変色するための所定温度は採用されるインキ層の特性によって、本実施形態のものと異なることがある。
【００３８】
このように、本実施形態に係る蓋体Ｃは、上向きに開放された開口部Ｋを有し内部に火Ｆを灯すための蝋燭Ｒが収容された容器Ｙに対して装着されるものである。そして、蓋体Ｃが、開口部Ｋを閉塞し得る面積に設定された略平板状の閉塞板１１を有した蓋体本体１と、前記閉塞板１１の上面側に配設され手書きで記載され得る記載領域２１を有したシート状のメッセージシート２と、このメッセージシート２の上面側に配設され外部から所定温度以上の熱を受け付けた場合に不透明から透明に変色し得るシート状の感熱シート３とを備えている。そして、容器Ｙの開口部Ｋを前記蓋体本体１が閉塞したときに、常温において不透明の感熱シート３が前記蝋燭Ｒの火Ｆの放熱に伴う前記所定温度以上の熱を受け付けて透明に変色し、前記メッセージシート２が前記透明に変色した状態の感熱シート３を介して外部から参加者等に視認され得るように構成されている。このため、催事等における感動や驚きを与えるための演出を好適に行うことができる蓋体を提供することができるものとなる。
【００３９】
つまり、催事等である結婚披露宴に列席した参加者が、火Ｆがついた状態の蝋燭Ｒが収容された容器Ｙの開口部Ｋに、前記蓋体Ｃを装着すると、主催者が記載領域２１に手書きした個別メッセージを有するメッセージシート２が浮かび上がることになる。このため、蓋体Ｃを、火Ｆがついた状態の蝋燭Ｒが収容されている容器Ｙに対して装着する、という参加者の所作を介在させることにより、参加者により直接的に感動や驚きを与えることができるものとなっている。
【００４０】
しかも、参加者に対して、蓋体Ｃを蝋燭Ｒの火Ｆにかざすという予想外の所作に加えて、突然その所作をした参加者向けに個別に記載したメッセージが表出するというさらに予想外の現象を目の当たりにさせることができるため、効果的に参加者に感動や驚きを与える得るものとなる。
【００４１】
また、蝋燭Ｒの火Ｆは、蝋燭Ｒを収容する容器Ｙに蓋体Ｃを装着することにより、内部空間内の酸素が欠乏してやがて消失することになる。このため、容器Ｙに蓋体Ｃを装着して火を消すという目的で、参加者等に蓋体Ｃを操作させておきながら、突然に個別のメッセージが出現するという予想外の現象を与えることができ、参加者等に感動や驚きを与えるものとなる。
【００４２】
なお、本考案は、以上に詳述した実施形態に限られるものではない。
【００４３】
例えば、容器内に収容されるものは灯火体に限られるものではなく、例えば、熱水であってもよい。
【００４４】
図６及び図７に示すものは、他の実施形態である蓋体Ｃを示している。すなわち、上向きに開放された開口部Ｋを有し内部に熱水Ｗであるコーヒーが収容された容器Ｙであるコーヒーカップに対して装着される蓋体Ｃを示している。なお、当該他の実施形態において、前述した実施形態と共通又は対応する構成のものについては同一の符号を用いて説明することとし、詳細な説明を省略又は簡略化する。
【００４５】
この実施形態における蓋体Ｃは、円形状の開口部Ｋを閉塞し得る面積に設定された略円形平板状の閉塞板１１を有した蓋体本体１と、前記閉塞板１１の上面側に配設され手書きで記載され得る記載領域を有したシート状のメッセージシート２と、このメッセージシート２の上面側に配設され外部から所定温度以上の熱を受け付けた場合に不透明から透明に変色し得るシート状の感熱シート３とを備えている。そして、前記容器Ｙの開口部Ｋを前記蓋体本体１が閉塞したときに、常温時において不透明の感熱シート３が前記熱水Ｗからの放熱に伴う前記所定温度以上の熱を受け付けて透明に変色し、前記メッセージシート２が前記感熱シート３を介して視認され得るように構成されている。
【００４６】
なお、容器に収容された「熱水Ｗ」には、常温よりも高い温度の水であって、約８０°Ｃ以上の水を含んで構成されている。熱水Ｗは、具体的には、ホットコーヒー、紅茶、ハーブティー、緑茶等を挙げることができる。また、容器Ｙとは、内部に熱水Ｗを収容するとともに上向きに開放された開口部Ｋを有しているものであればよい。容器Ｙには、例えば、コーヒーカップ、ティーカップ、湯のみ茶碗等を挙げることができる。
【００４７】
このようなものであっても、参加者等に感動や驚きを与えることができるものとなり、所期の目的を達成することができるものとなる。
【００４８】
上記した各実施形態はあくまで一例であり、本考案の趣旨を逸脱しない限り種々変形できることはもちろんのことである。
【００４９】
例えば、蓋体本体は、開口部を閉塞し得る閉塞板を備えているものであればよく、必ずしも垂下部を備えている必要は無い。但し、垂下部を備えてものであれば、容器に対する装着に便宜なものとなる。また、蓋体本体は、紙には限られず、例えば金属製のものであってもよいし、プラスチック製のものであってもよいし、その他適宜の素材を適用するようにしてもよい。
【００５０】
メッセージシートの大きさや形状は、種々の態様が考えられ、上述した実施形態のものに限定されるものではない。
【００５１】
メッセージシートにおける記載領域には、手書きの表示だけでなく、手書き以外の任意の表示を載せることができる。例えば、記載領域に、印刷やスタンプやステッカー等を使用した、任意の表示を載せるようにしてもよい。任意の表示として、御神籤（おみくじ）や占いの結果を載せておけば、蓋体を御神籤キットや占いキットとして機能させることができるものとなる。なお、御神籤キットや占いキットとして使用する場合には、使用者に対し、火や熱水にかざすことによって所定のおみくじ結果や占い結果が表出するという現象を、予め理解させておいてもよい。
【００５２】
感熱シートの大きさや形状は、種々の態様が考えられ、上述した実施形態のものに限定されるものではない。
【００５３】
その他、各部の具体的構成についても上記実施形態に限られるものではなく、本考案の趣旨を逸脱しない範囲で種々変形が可能である。
【符号の説明】
【００５４】
１…蓋体本体
２…メッセージシート
３…感熱シート
２１…記載領域
Ｃ…蓋体
Ｆ…火
Ｋ…開口部
Ｒ…灯火体（蝋燭）
Ｙ…容器
【図１】
0003189591.tif 000003
【図２】
0003189591.tif 000004
【図３】
0003189591.tif 000005
【図４】
0003189591.tif 000006
【図５】
0003189591.tif 000007
【図６】
0003189591.tif 000008
【図７】
0003189591.tif 000009